(57)【特許請求の範囲】
【請求項１】
選曲手段と、締めの楽曲群指定手段と、利用残時間計測手段と、楽曲演奏可能時間演算手段と、予約管理手段と、演奏管理手段とを備え、利用残時間内に締めの楽曲群を演奏させるためのカラオケ装置であって、
前記選曲手段は、複数の楽曲の中から歌唱対象となる楽曲を選択可能とし、
前記締めの楽曲群指定手段は、選曲手段で選曲を行う際に一般楽曲と区別して締めの楽曲群を指定可能とし、
前記利用残時間計測手段は、カラオケ装置の利用残時間を計測し、
前記楽曲演奏可能時間演算手段は、楽曲の演奏順序を管理する予約待ち行列において締めの楽曲群として登録された楽曲の演奏時間と、締めの楽曲群の演奏順序よりも前に登録された一般楽曲の演奏時間とを、利用残時間から減算することにより楽曲演奏可能時間を演算し、
前記予約管理手段は、下記（１）乃至（４）の処理を行い、
（１）選曲された楽曲が締めの楽曲として指定され、かつ当該締めの楽曲の演奏時間が楽曲演奏可能時間の範囲内の場合には、予約待ち行列において当該締めの楽曲を締めの楽曲群として登録する。
（２）選曲された楽曲が締めの楽曲として指定され、かつ当該締めの楽曲の演奏時間が楽曲演奏可能時間の範囲を超えている場合には、予約待ち行列において当該締めの楽曲の演奏時間が楽曲演奏可能時間の範囲内となるように、利用残時間の範囲内に登録されている一般楽曲の中から演奏時間が当該締めの楽曲の演奏時間より楽曲演奏可能時間を減算した時間以上である一般楽曲を締めの楽曲群の演奏順序よりも後に移動させて登録する。
（３）選曲された楽曲が一般楽曲であり、かつ当該一般楽曲の演奏時間が楽曲演奏可能時間の範囲内の場合には、予約待ち行列において当該一般楽曲を締めの楽曲群の演奏順序よりも前に登録する。
（４）選曲された楽曲が一般楽曲であり、かつ当該一般楽曲の演奏時間が楽曲演奏可能時間を超えている場合には、予約待ち行列において当該一般楽曲を締めの楽曲群の演奏順序よりも後に登録する。
前記演奏管理手段は、予約待ち行列に登録された楽曲を順番に演奏させると共に、楽曲演奏可能時間が尽きるまで締めの楽曲群の演奏を保留し、楽曲演奏可能時間が尽きた時点で締めの楽曲群を演奏させる、
ことを特徴とする締めの楽曲群演奏管理システムを備えたカラオケ装置。
【請求項２】
楽曲の登録キャンセルや楽曲の演奏中止により楽曲演奏可能時間が変化し、かつ予約待ち行列において締めの楽曲群の演奏順序よりも後に一般楽曲が登録されている場合に、
前記予約管理手段は、予約待ち行列において締めの楽曲群の演奏順序よりも後に登録された楽曲の中から、演奏時間が新たな楽曲演奏可能時間の範囲内である楽曲を予約待ち行列において締めの楽曲群の演奏順序よりも前に登録する、
ことを特徴とする請求項１に記載の締めの楽曲群演奏管理システムを備えたカラオケ装置。
【発明の詳細な説明】
【技術分野】
【０００１】
本発明は、カラオケ装置の利用時間内に、利用者が指定した締めの楽曲群を演奏可能としたカラオケ装置に関するものである。
【背景技術】
【０００２】
カラオケ演奏を楽しむ場合に、カラオケ演奏の締めとして特定の楽曲を歌唱することがある。例えば、同窓会のメンバーがカラオケ演奏を楽しむ場合に、締めとして校歌を歌唱したり、企業の仲間が集まってカラオケ演奏を楽しむ場合に、締めとして企業のテーマ曲を歌唱したりする場合である。この際、カラオケ装置の利用時間が終了する前に締めの楽曲を演奏しなければならないため、残りの利用時間に気を配る必要があり、カラオケ演奏に集中できないおそれがある。
【０００３】
そこで、従来より、カラオケ装置の利用時間が残り少なくなった際に、その旨を表示するための技術が開示されている（特許文献１、特許文献２参照）。
特許文献１に記載されているカラオケ装置は、管理装置から伝送されてくる退室時間接近信号を受信すると、利用者に向けて退室時間予告メッセージを表示出力するようにしたものである。
また、特許文献２に記載されているカラオケ装置は、利用時間が残り少なくなった場合に、その旨をＣＲＴ表示装置に表示すると共に、既に予約された楽曲の中から残りの利用時間内に歌唱可能な楽曲を指定して優先的に演奏を行うようにしたものである。
【０００４】
【特許文献１】特開２００５−１０６１９号公報
【特許文献２】特開平１０−１４９１８１号公報
【発明の開示】
【発明が解決しようとする課題】
【０００５】
ところで、締めの楽曲に指定される楽曲は利用者毎にほぼ決まっており、利用者の利便性を考慮すると、予め締めの楽曲を選曲しておくことが好ましい。しかし、従来の選曲システムでは、楽曲の演奏順序を指定することはできるが、カラオケ装置の利用時間内に必ず締めの楽曲を演奏するためには、各楽曲の演奏時間を考慮して締めの楽曲の選曲順序を決定しなければならず、選曲操作が面倒であった。
また、上記した従来の技術では、利用者に対してカラオケ装置の利用時間が残り少ないことを報知することはできる。しかし、利用者は残り時間が少なくなったことを認識した時点で締めの楽曲を選曲しなくてはならず、締めの楽曲の選曲操作に手間取っている間に利用時間が終了してしまうおそれがあった。
【０００６】
本発明は、上述した事情に鑑み提案されたもので、カラオケ装置の利用時間に気を配ることなく締めの楽曲群を演奏させることにより、カラオケ演奏の楽しさを十分に味わうことが可能なカラオケ装置を提供することを目的とする。
【課題を解決するための手段】
【０００７】
本発明に係る締めの楽曲群演奏管理システムを備えたカラオケ装置は、上述した目的を達成するため、以下の特徴点を有している。
すなわち、本発明に係る締めの楽曲群演奏管理システムを備えたカラオケ装置は、選曲手段と、締めの楽曲群指定手段と、利用残時間計測手段と、楽曲演奏可能時間演算手段と、予約管理手段と、演奏管理手段とを備え、利用残時間内に締めの楽曲群を演奏させるためのカラオケ装置である。
【０００８】
選曲手段は、複数の楽曲の中から歌唱対象となる楽曲を選択可能とする。締めの楽曲群指定手段は、選曲手段で選曲を行う際に一般楽曲と区別して締めの楽曲群を指定可能とする。利用残時間計測手段は、カラオケ装置の利用残時間を計測する。楽曲演奏可能時間演算手段は、楽曲の演奏順序を管理する予約待ち行列において締めの楽曲群として登録された楽曲の演奏時間と、締めの楽曲群の演奏順序よりも前に登録された一般楽曲の演奏時間とを、利用残時間から減算することにより楽曲演奏可能時間を演算する。
【０００９】
予約管理手段は、下記（１）乃至（４）の処理を行う。
（１）選曲された楽曲が締めの楽曲として指定され、かつ当該締めの楽曲の演奏時間が楽曲演奏可能時間の範囲内の場合には、予約待ち行列において当該締めの楽曲を締めの楽曲群として登録する。
（２）選曲された楽曲が締めの楽曲として指定され、かつ当該締めの楽曲の演奏時間が楽曲演奏可能時間の範囲を超えている場合には、予約待ち行列において当該締めの楽曲の演奏時間が楽曲演奏可能時間の範囲内となるように、利用残時間の範囲内に登録されている一般楽曲の中から演奏時間が当該締めの楽曲の演奏時間より楽曲演奏可能時間を減算した時間以上である一般楽曲を締めの楽曲群の演奏順序よりも後に移動させて登録する。
（３）選曲された楽曲が一般楽曲であり、かつ当該一般楽曲の演奏時間が楽曲演奏可能時間の範囲内の場合には、予約待ち行列において当該一般楽曲を締めの楽曲群の演奏順序よりも前に登録する。
（４）選曲された楽曲が一般楽曲であり、かつ当該一般楽曲の演奏時間が楽曲演奏可能時間を超えている場合には、予約待ち行列において当該一般楽曲を締めの楽曲群の演奏順序よりも後に登録する。
【００１０】
演奏管理手段は、予約待ち行列に登録された楽曲を順番に演奏させると共に、楽曲演奏可能時間が尽きるまで締めの楽曲群の演奏を保留し、楽曲演奏可能時間が尽きた時点で締めの楽曲群を演奏させる。
【００１１】
また、上記構成に加えて、楽曲の登録キャンセルや楽曲の演奏中止により楽曲演奏可能時間が変化し、かつ予約待ち行列において締めの楽曲群の演奏順序よりも後に一般楽曲が登録されている場合に、予約管理手段は、予約待ち行列において締めの楽曲群の演奏順序よりも後に登録された楽曲の中から、演奏時間が新たな楽曲演奏可能時間の範囲内である楽曲を予約待ち行列において締めの楽曲群の演奏順序よりも前に登録する、ことが可能である。
【００１２】
なお、締めの楽曲群とは、締めに歌唱する楽曲群のことであり、複数の楽曲であってもよいし、１曲のみであってもよい。
【発明の効果】
【００１３】
本発明に係る締めの楽曲群演奏管理システムを備えたカラオケ装置によれば、予め締めの楽曲群を予約待ち行列に登録しておくことができる。そして、楽曲演奏可能時間の範囲内であれば、締めの楽曲群よりも先に一般楽曲が演奏され、楽曲演奏可能時間が尽きた時点で、締めの楽曲群が演奏される。
したがって、カラオケ装置の利用時間に気を配ることなく、利用時間内に必ず締めの楽曲群を演奏させることができるので、カラオケ演奏の楽しさを十分に味わうことが可能となる。
【発明を実施するための最良の形態】
【００１４】
以下、図面を参照して本発明に係る締めの楽曲群演奏管理システムを備えたカラオケ装置の実施形態を説明する。
本発明の実施形態に係るカラオケ装置は、締めとして歌唱を希望する楽曲を少なくとも１曲指定可能とし、この締めの楽曲群をカラオケ装置の利用時間内に必ず演奏できるようにしたものである。このカラオケ装置は、選曲手段と、締めの楽曲群指定手段と、利用残時間計測手段と、楽曲演奏可能時間演算手段と、予約管理手段と、演奏管理手段とを主な構成要素としている。
【００１５】
＜カラオケ装置＞
まず、カラオケ装置の概要について説明する。図１は、カラオケ装置の構成を示すブロック図である。
カラオケ装置１０は、図１に示すように、カラオケ本体１１、表示手段１２、ミキシングアンプ１３、スピーカ１４、マイクロホン１５、遠隔入出力端末１６を備えている。また、カラオケ本体１１と表示手段１２とは、有線方式又は無線方式により接続されている。
【００１６】
＜遠隔入出力端末＞
遠隔入出力端末１６は、ユーザインタフェース機能を備えており、カラオケ本体１１の送受信手段２８に対して有線方式又は無線方式によりデータの送受信を行うようになっており、データの送受信を行うための回路基板及びプログラムと、選曲手段３５として機能させるためのプログラムと、締めの楽曲指定手段３６として機能させるためのプログラムと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００１７】
＜カラオケ本体＞
カラオケ本体１１は、バス２１、中央制御手段２２、ＲＯＭ２３、ＲＡＭ２４、ＨＤＤ２５、楽曲データベース（ＤＢ）２６、映像データベース（ＤＢ）２７、送受信手段２８、利用残時間計測手段２９、楽曲演奏可能時間演算手段３０、予約管理手段３１、演奏管理手段３２、音楽曲出力手段３３、再生制御手段３４を備えている。なお、楽曲データベース２６、映像データベース２７は、ＨＤＤ２５に格納されている。
【００１８】
＜中央制御手段＞
中央制御手段２２は、カラオケ本体１１を総合的に制御するための手段であり、例えばＣＰＵ及びその周辺機器により構成されており、ＣＰＵ等がＲＯＭ２３等に記憶されたアプリケーションプログラムに従って動作することにより、制御機能を発揮することができるようになっている。
【００１９】
＜ＲＯＭ／ＲＡＭ＞
ＲＯＭ２３は、カラオケ本体１１を構成する各機器を制御するためのアプリケーションプログラムデータや数値データを記憶するための機器で、例えば半導体メモリ等で構成される。また、ＲＡＭ２４は、アプリケーションプログラムや種々のデータを一時的に読み込む一時記憶領域として機能するための機器で、例えば半導体メモリ等で構成される。なお、物理的な半導体メモリによりＲＡＭ２４を構成するのではなく、ハードディスク記憶装置等を用いて仮想的なＲＡＭ２４を構成してもよい。本実施形態では、ＲＡＭ２４に、予約待ち行列が格納されている。
【００２０】
＜ＨＤＤ／楽曲データベース／映像データベース＞
楽曲データベース２６及び映像データベース２７は、大容量記憶装置であるＨＤＤ２５に格納されている。大容量記憶装置としては、ＨＤＤ２５の他に、データを書き替え可能なＤＶＤ等を用いることができる。
【００２１】
楽曲データベース２６は、演奏データ（ＭＩＤＩ（登録商標）データ）及び歌詞テロップデータが同期されて構成される楽曲データについて、楽曲ＩＤと対応付けてそれぞれ格納したデータベースである。
また、演奏データは各楽曲の演奏データをデジタル化したものであり、歌詞テロップデータは演奏データに同期された楽曲の歌詞文字データである。映像データベース２７は、演奏される楽曲に対応した背景映像を、当該楽曲の楽曲ＩＤに対応させた映像ファイルとして所定数格納したデータベースである。
【００２２】
＜音楽曲出力手段＞
音楽曲出力手段３３は、楽曲ＩＤに基づいて楽曲データベース２６から抽出された演奏データをデジタル再生すると共にアナログ変換してミキシングアンプ１３に出力するための電子回路である。ミキシングアンプ１３は、マイクロホン１５から入力された歌唱者の歌唱音声と、音楽曲出力手段３３から送出される演奏データとをミキシングすると共に、アンプ機能により増幅してスピーカ１４より出力させるための手段である。なお、マイクロホンの数は１本に限られず、２本以上であってもよい。
【００２３】
＜再生制御手段＞
再生制御手段３４は、カラオケ演奏中に、楽曲データベース２６から抽出された楽曲データのうちの歌詞テロップデータ（歌詞文字データ）を当該楽曲の演奏データに同期させて表示手段１２に出力するための電子回路である。さらに、再生制御手段３４は、遠隔入出力端末１６を介した利用者からの操作指示による予約楽曲リストの表示等を表示手段１２に表示させる機能も有している。
【００２４】
＜表示手段＞
表示手段１２は、カラオケ演奏時の映像、歌詞テロップ及び表示識別情報等を表示するための装置で、例えばＣＲＴディスプレイ、液晶ディスプレイ、プラズマディスプレイ等により構成される。
【００２５】
＜送受信手段＞
送受信手段２８は、カラオケ本体１１と遠隔入出力端末１６との間でデータの送受信を行うための手段である。
【００２６】
＜利用残時間計測手段＞
利用残時間計測手段２９は、カラオケ装置１０の利用残時間を計測するための機能を有するタイマ等から構成される。減算タイマの機能を用いた場合には、利用者がカラオケボックスに入店して利用手続を完了した時点で、例えばカラオケ店員がカラオケ装置１０に対して減算タイマの始動信号を入力する。カラオケ装置１０では、始動信号が入力されると減算タイマが始動し、利用残時間が計測される。
【００２７】
また、利用残時間計測手段２９を減算タイマにより構成するのではなく、利用終了時刻設定機能と現在時刻取得機能とを有するプログラムにより構成してもよい。具体的には、利用者がカラオケボックスに入店して利用手続を完了した時点で、例えばカラオケ店員がカラオケ装置１０に対して利用終了時刻を入力する。カラオケ装置１０では、利用終了時刻が入力されると、利用終了時刻設定機能により利用終了時刻を設定すると共に、現在時刻取得機能により現在時刻を取得し、利用終了時刻と現在時刻とを比較することにより利用残時間が計測される。
【００２８】
＜楽曲演奏可能時間演算手段＞
楽曲演奏可能時間演算手段３０は、楽曲の演奏順序を管理する予約待ち行列において締めの楽曲群として登録された楽曲の演奏時間と、締めの楽曲群の演奏順序よりも前に登録された一般楽曲の演奏時間とを、利用残時間から減算することにより楽曲演奏可能時間を演算するためのプログラムから構成される。
【００２９】
すなわち、カラオケ装置１０の利用残時間は時間の経過と共に減少してゆき、予め設定した利用終了時刻に至ると利用残時間がゼロとなる。利用者は、この利用残時間の範囲内においてカラオケ演奏を楽しむことができる。そして、カラオケ装置１０における演奏順序を登録した予約待ち行列には、締めの楽曲群と一般楽曲とが登録されている。これらの楽曲のうち、締めの楽曲群は必ず利用残時間の範囲内で演奏することが本発明の目的である。
【００３０】
そこで、利用残時間から、予約待ち行列において締めの楽曲群として登録された楽曲の演奏時間を差し引くことにより一般楽曲を演奏可能な基本時間を求める。さらに、この基本時間から、予約待ち行列において締めの楽曲群の演奏順序よりも前に登録された一般楽曲の演奏時間を差し引くことにより、現時点で選曲可能な一般楽曲の総演奏時間を求めることができる。
【００３１】
なお、利用残時間が時間の経過と共に減少してゆくことから、楽曲演奏可能時間も、時間の経過と共に減少してゆくことになる。また、予約待ち行列において利用残時間の範囲内に登録された楽曲の演奏が中止され、あるいは選曲がキャンセルされた場合には、現に登録されている楽曲の演奏時間に基づいて楽曲演奏可能時間が再演算されることになる。
【００３２】
＜予約管理手段＞
予約管理手段３１は、利用残時間及び楽曲演奏可能時間に応じて、予約待ち行列における楽曲の登録順序を管理するためのプログラムから構成される。すなわち、予約管理手段３１は、利用者により遠隔入出力端末１６における選曲手段３５の機能を用いて選曲された楽曲、及び締めの楽曲指定手段３６の機能を用いて指定された締めの楽曲に関して、楽曲ＩＤに基づき予約待ち行列としてＲＡＭ２４に格納して管理する。なお、選曲された楽曲の歌唱者を特定するため、楽曲ＩＤに利用者ＩＤを付帯させて予約待ち行列に登録してもよい。
【００３３】
この際、予約管理手段３１は、下記（１）乃至（４）の処理を行う。
（１）選曲された楽曲が締めの楽曲として指定され、かつ当該締めの楽曲の演奏時間が楽曲演奏可能時間の範囲内の場合には、予約待ち行列において当該締めの楽曲を締めの楽曲群として登録する（図６に示す処理例１参照）。
（２）選曲された楽曲が締めの楽曲として指定され、かつ当該締めの楽曲の演奏時間が楽曲演奏可能時間の範囲を超えている場合には、予約待ち行列において当該締めの楽曲の演奏時間が楽曲演奏可能時間の範囲内となるように、利用残時間の範囲内に登録されている一般楽曲の中から演奏時間が当該締めの楽曲の演奏時間より楽曲演奏可能時間を減算した時間以上である一般楽曲を締めの楽曲群の演奏順序よりも後に移動させて登録する（図７に示す処理例２参照）。この際、楽曲の移動は、予約順序に従って自動的に行ってもよいし、利用者の指定に基づいて行ってもよい。
（３）選曲された楽曲が一般楽曲であり、かつ当該一般楽曲の演奏時間が楽曲演奏可能時間の範囲内の場合には、予約待ち行列において当該一般楽曲を締めの楽曲群の演奏順序よりも前に登録する（図６に示す処理例１及び図８に示す処理例３参照）。
（４）選曲された楽曲が一般楽曲であり、かつ当該一般楽曲の演奏時間が楽曲演奏可能時間を超えている場合には、予約待ち行列において当該一般楽曲を締めの楽曲群の演奏順序よりも後に登録する（図８に示す処理例３及び図９に示す処理例４参照）。
【００３４】
また、楽曲の登録キャンセルや楽曲の演奏中止により楽曲演奏可能時間が変化し、かつ予約待ち行列において締めの楽曲群の演奏順序よりも後に一般楽曲が登録されている場合に、予約管理手段は、予約待ち行列において締めの楽曲群の演奏順序よりも後に登録された楽曲の中から、演奏時間が新たな楽曲演奏可能時間の範囲内である楽曲を予約待ち行列において締めの楽曲群の演奏順序よりも前に登録することが可能である（図１０に示す処理例５参照）。この際、楽曲の移動は、予約順序に従って自動的に行ってもよいし、利用者の指定に基づいて行ってもよい。
【００３５】
このような処理を行うことにより、常に、締めの楽曲群が利用残時間の範囲内となるように予約待ち行列が管理される。なお、楽曲選択の表示や予約待ち行列の表示は、遠隔入出力端末１６の入出力用表示部及び表示手段１２のいずれか一方、あるいは双方で行うことができる。
【００３６】
＜演奏管理手段＞
演奏管理手段３２は、予約待ち行列に登録された楽曲を順番に演奏させると共に、楽曲演奏可能時間が尽きるまで締めの楽曲群の演奏を保留し、楽曲演奏可能時間が尽きた時点で締めの楽曲群を演奏させるためのプログラムから構成される。
すなわち、演奏管理手段３２では、楽曲演奏可能時間がゼロとなるまでは予約待ち行列に登録された楽曲を順番に演奏させる。そして、楽曲演奏可能時間がゼロとなった時点で、締めの楽曲群として指定された楽曲を演奏させる。
【００３７】
＜締めの楽曲群における演奏管理手順＞
次に、上述した実施形態に係るカラオケ装置１０を用いて締めの楽曲群の予約及び演奏を管理する手順を説明する。図２〜図５は本発明の実施形態に係るカラオケ装置１０を用いて締めの楽曲群の予約及び演奏を管理する手順を示すもので、図２及び図３は予約管理手順を示すフローチャート、図４は予約キャンセル手順を示すフローチャート、図５は演奏管理手順を示すフローチャートである。また、図６〜図１０は、予約管理手順の具体的処理例を説明するための説明図であり、図１１は、遠隔入出力端末１６における選曲画面の一例を示す模式図である。
【００３８】
＜予約管理手順＞
まず、図２及び図３を参照して、予約管理手順を説明する。上述したように、本発明の実施形態に係るカラオケ装置１０における予約管理は、予約管理手段３１の機能として実現される。
【００３９】
図２及び図３に示すように、カラオケ装置１０の利用が開始されると（Ｓ１）、利用残時間計測手段２９の機能により利用残時間の計測を開始する（Ｓ２）。そして、利用残時間を確認して（Ｓ３）、利用残時間が尽きた時点で予約管理の処理を終了する。一方、利用時間が残っている場合には、楽曲演奏可能時間演算手段３０の機能により楽曲演奏可能時間を演算する。楽曲演奏可能時間は、予約待ち行列において締めの楽曲群として登録された楽曲の演奏時間と、締めの楽曲群の演奏順序よりも前に登録された一般楽曲の演奏時間とを、利用残時間から減算することにより求められる。選曲が行われるまでの間、利用残時間の確認処理（Ｓ３）と、楽曲演奏可能時間の演算処理（Ｓ４）が継続される。
【００４０】
そして、選曲手段３５の機能により選曲が行われると（Ｓ５）、選曲された楽曲が締めの楽曲として指定されたか否かを判断する（Ｓ６）。具体的な選曲操作では、図１１に示すように、選曲を行う際に、選曲画面に表示された「締めの楽曲指定ボタン」を操作（タッチ入力）することにより、当該楽曲が締めの楽曲として指定され、その旨のフラグが付帯されて予約待ち行列に登録される。
【００４１】
締めの楽曲か否かの判断処理（Ｓ６）において、締めの楽曲として指定された場合には、当該締めの楽曲の演奏時間が楽曲演奏可能時間の範囲内か否かを判断する（Ｓ７）。ここで、当該締めの楽曲の演奏時間が楽曲演奏可能時間の範囲内である場合には、当該締めの楽曲を締めの楽曲群として待ち行列に登録する（Ｓ８）。
【００４２】
具体的な処理を、図６に示す処理例１を用いて説明する。処理例１では、利用残時間が１時間３２分１５秒、締めの楽曲演奏時間が３分５８秒、一般楽曲演奏時間が１９分３８秒となっている。したがって、楽曲演奏可能時間は、利用残時間（１時間３２分１５秒）から、締めの楽曲演奏時間（３分５８秒）と一般楽曲演奏時間（１９分３８秒）とを減算した１時間８分３９秒となる。
【００４３】
ここで、締めの楽曲として「＊＊Ｌ２（３分４０秒）」が選曲され、一般楽曲として「＊＊１８（３分４２秒）」が選曲されたとする。「＊＊Ｌ２（３分４０秒）」及び「＊＊１８（３分４２秒）」は楽曲演奏可能時間（１時間８分３９秒）の範囲内に収まるため、利用残時間（１時間３２分１５秒）の範囲内の楽曲として予約待ち行列に登録される。この際、「＊＊１８（３分４２秒）」は締めの楽曲群（＊＊Ｌ１及び＊＊Ｌ２）の演奏順序よりも前に登録される。
【００４４】
一方、当該締めの楽曲の演奏時間が楽曲演奏可能時間を超えている場合には、予約待ち行列において当該締めの楽曲の演奏時間が楽曲演奏可能時間の範囲となるように、利用残時間の範囲内に登録されている一般楽曲の中から演奏時間が当該締めの楽曲の演奏時間以上である一般楽曲を締めの楽曲群の演奏順序よりも後に移動させて登録する（Ｓ９）。この際、楽曲の移動は、予約順序に従って自動的に行ってもよいし、利用者の指定に基づいて行ってもよい。
【００４５】
具体的な処理を、図７に示す処理例２を用いて説明する。処理例２では、利用残時間が２５分２０秒、締めの楽曲演奏時間が３分５８秒、一般楽曲演奏時間が１９分３２秒となっている。したがって、楽曲演奏可能時間は、利用残時間（２５分２０秒）から、締めの楽曲演奏時間（３分５８秒）と一般楽曲演奏時間（１９分３２秒）とを減算した１分５０秒となる。
【００４６】
ここで、締めの楽曲として「＊＊Ｌ２（３分４０秒）」が選曲されたとする。「＊＊Ｌ２（３分４０秒）は楽曲演奏可能時間（１分５０秒）の範囲を超えるため、利用残時間（２５分２０秒）の範囲内に登録されている一般楽曲の中から演奏時間が当該締めの楽曲の演奏時間以上である一般楽曲「＊＊４６（３分４１秒）」を締めの楽曲群（＊＊Ｌ１及び＊＊Ｌ２）の演奏順序よりも後に移動させて登録する。この際、締めの楽曲「＊＊Ｌ２（３分４０秒）」は、締めの楽曲「＊＊Ｌ１（３分５８秒）」よりも後の演奏順序として登録される。
処理例２では、締めの楽曲群（＊＊Ｌ１及び＊＊Ｌ２）の演奏順序よりも後に移動させた一般楽曲「＊＊４６（３分４１秒）」は、利用残時間の範囲外の楽曲として補欠状態となる。
【００４７】
また、締めの楽曲か否かの判断処理（Ｓ６）において、締めの楽曲として指定されない場合、すなわち一般楽曲として選曲された場合には、図３に示すように、当該楽曲の演奏時間が楽曲演奏可能時間の範囲内であるか否かを判断する（Ｓ１０）。ここで、当該楽曲の演奏時間が楽曲演奏可能時間の範囲内である場合には、予約待ち行列において当該楽曲を締めの楽曲群の演奏順序よりも前に登録する（Ｓ１１）。
【００４８】
具体的な処理を、図８に示す処理例３を用いて説明する。処理例３では、利用残時間が１時間３２分１５秒、締めの楽曲演奏時間が３分５８秒、一般楽曲演奏時間が１９分３８秒となっている。したがって、楽曲演奏可能時間は、利用残時間（１時間３２分１５秒）から、締めの楽曲演奏時間（３分５８秒）と一般楽曲演奏時間（１９分３８秒）とを減算した１時間８分３９秒となる。
【００４９】
ここで、「＊＊＊１（３分１８秒）」と「＊＊＊２（３分４５秒）」とが選曲されたとする。「＊＊＊１（３分１８秒）」及び「＊＊＊２（３分４５秒）」は楽曲演奏可能時間（１時間８分３９秒）の範囲内に収まるため、利用残時間（１時間３２分１５秒）の範囲内の楽曲として予約待ち行列に登録される。この際、「＊＊＊１（３分１８秒）」及び「＊＊＊２（３分４５秒）」は締めの楽曲群（＊＊Ｌ１）の演奏順序よりも前に登録される。
【００５０】
一方、当該楽曲の演奏時間が楽曲演奏可能時間の範囲を超えている場合には、予約待ち行列において当該楽曲を締めの楽曲群の演奏順序よりも後に登録する（Ｓ１２）。
具体的な処理を、図９に示す処理例４を用いて説明する。処理例４では、利用残時間が２１分２０秒、締めの楽曲演奏時間が３分５８秒、一般楽曲演奏時間が１３分３秒となっている。したがって、楽曲演奏可能時間は、利用残時間（２１分２０秒）から、締めの楽曲演奏時間（３分５８秒）と一般楽曲演奏時間（１３分３秒）とを減算した４分１９秒となる。
【００５１】
ここで、「＊＊３４（３分４６秒）」と「＊＊＊３（３分２３秒）」とが選曲されたとする。「＊＊３４（３分４６秒）」は楽曲演奏可能時間（４分１９秒）の範囲内に収まるが、「＊＊＊３（３分２３秒）」は残余の楽曲演奏可能時間（３３秒）の範囲内に収まらない。このため、「＊＊３４（３分４６秒）」は締めの楽曲群（＊＊Ｌ１）の演奏順序よりも前に登録され、「＊＊＊３（３分２３秒）」は締めの楽曲群（＊＊Ｌ１）の演奏順序よりも後に登録される。
処理例４では、締めの楽曲群（＊＊Ｌ１）の演奏順序よりも後に登録された一般楽曲「＊＊＊３（３分２３秒）」は、利用残時間の範囲外の楽曲として補欠状態となる。
【００５２】
次に、楽曲の登録がキャンセルされたり、楽曲の演奏が中止されたりした場合について説明する。図４に示すように、楽曲の登録がキャンセルされたり、楽曲の演奏が中止されたりして、楽曲演奏時間が変化し、かつ予約待ち行列において締めの楽曲群よりも後に一般楽曲が登録されている場合（Ｓ２１)には、予約管理手段の機能により、予約待ち行列において締めの楽曲群の演奏順序よりも後に登録された楽曲の中から、演奏時間が新たな楽曲演奏可能時間の範囲内である楽曲を予約待ち行列において締めの楽曲群の演奏順序よりも前に登録する（Ｓ２２）。この際、楽曲の移動は、予約順序に従って自動的に行ってもよいし、利用者の指定に基づいて行ってもよい。
【００５３】
具体的な処理を、図１０に示す処理例５を用いて説明する。処理例５では、利用残時間が２５分２０秒、締めの楽曲演奏時間が３分５８秒、一般楽曲演奏時間が１９分３２秒となっている。したがって、楽曲演奏可能時間は、利用残時間（２５分２０秒）から、締めの楽曲演奏時間（３分５８秒）と一般楽曲演奏時間（１９分３２秒）とを減算した１分５０秒となる。また、利用残時間の範囲外で補欠状態の楽曲として「＊＊２２（３分１５秒）」が登録されていたとする。
【００５４】
ここで、「＊＊１２（５分２秒）」の登録がキャンセルされ、あるいはその演奏が中止されると楽曲演奏可能時間が６分５２秒に変化する。そして、この楽曲演奏可能時間（６分５２秒）の範囲内であれば、新たな楽曲を利用残時間内の演奏曲として登録することができる。したがって、補欠状態にあった「＊＊２２（３分１５秒）」が、締めの楽曲群「＊＊Ｌ１（３分５８秒）」の演奏順序よりも前に移動し、楽曲演奏可能時間が３分３７秒に変化する。そして、この楽曲演奏可能時間（３分３７秒）の範囲内であれば、新たな楽曲を利用残時間内の演奏曲として登録することができる。
上述した各処理（Ｓ３〜Ｓ１２、Ｓ２１、Ｓ２２）は、利用残時間が尽きるまで繰り返して行われる。
【００５５】
＜演奏管理手順＞
次に、図５を参照して、演奏管理手順を説明する。上述したように、本発明の実施形態に係るカラオケ装置１０における演奏管理は、演奏管理手段３２の機能として実現される。
【００５６】
本発明の実施形態に係るカラオケ装置１０で演奏管理を行うには、図５に示すように、利用残時間を確認して（Ｓ３１）、利用残時間が尽きるまでの間は、締めの楽曲群の演奏を保留して、予約待ち行列に従って楽曲を演奏する（Ｓ３３）。そして、利用残時間が尽きた時点で、締めの楽曲を演奏する（Ｓ３２）。
このように、本発明に係るカラオケ装置１０では、当該カラオケ装置１０の利用終了時間までに、締めの楽曲群として指定された楽曲のすべてを演奏することができる。また、締めの楽曲群の演奏時間に応じて、未だ利用時間が残っている場合には締めの楽曲群の演奏を保留するので、締めの楽曲群として指定された楽曲群の後には他の楽曲が演奏されることがない。したがって、締めの楽曲群の演奏が終了したタイミングでカラオケ装置１０の利用時間も終了することになり、締めの楽曲群を指定した意義を損なうことなく、カラオケ演奏の楽しさを十分に楽しむことができる。
【００５７】
＜他の実施形態＞
本発明のカラオケ装置１０を構成する機器や手段は上述したものに限定されず、カラオケ装置１０の利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５８】
例えば、ＶＰＮを利用したインターネット等の通信ネットワークを介して、ホスト装置と複数のカラオケ演奏端末（カラオケ装置）とを相互に接続し、ホスト装置により各カラオケ演奏端末を総合的に制御するようにしてもよい。このような構成では、ホスト装置に顧客データベースを備えると共に、各カラオケ演奏端末に利用者ＩＤ取得手段を備えることにより、利用者がシステムログインした際に各利用者の利用者ＩＤを取得して、この利用者ＩＤを利用した各種のサービスを行うことができる。
【図面の簡単な説明】
【００５９】
【図１】本発明の実施形態に係るカラオケ装置の構成を示すブロック図。
【図２】本発明の実施形態に係るカラオケ装置における予約管理手順を示すフローチャート。
【図３】本発明の実施形態に係るカラオケ装置における予約管理手順を示すフローチャート。
【図４】本発明の実施形態に係るカラオケ装置における予約キャンセル手順を示すフローチャート。
【図５】本発明の実施形態に係るカラオケ装置における演奏管理手順を示すフローチャート。
【図６】本発明の実施形態に係るカラオケ装置における予約管理手順の処理例１を説明するための説明図。
【図７】本発明の実施形態に係るカラオケ装置における予約管理手順の処理例２を説明するための説明図。
【図８】本発明の実施形態に係るカラオケ装置における予約管理手順の処理例３を説明するための説明図。
【図９】本発明の実施形態に係るカラオケ装置における予約管理手順の処理例４を説明するための説明図。
【図１０】本発明の実施形態に係るカラオケ装置における予約管理手順の処理例５を説明するための説明図。
【図１１】遠隔入出力端末における選曲画面の一例を示す模式図。
【符号の説明】
【００６０】
１０  カラオケ装置
１１  カラオケ本体
１２  表示手段
１３  ミキシングアンプ
１４  スピーカ
１５  マイクロホン
１６  遠隔入出力端末
２１  バス
２２  中央制御手段
２３  ＲＯＭ
２４  ＲＡＭ
２５  ＨＤＤ
２６  楽曲データベース
２７  映像データベース
２８  送受信手段
２９  利用残時間計測手段
３０  楽曲演奏可能時間演算手段
３１  予約管理手段
３２  演奏管理手段
３３  音楽曲出力手段
３４  再生制御手段
３５  選曲手段
３６  締めの楽曲指定手段
【図１】
0005036050.tif 000002
【図２】
0005036050.tif 000003
【図３】
0005036050.tif 000004
【図４】
0005036050.tif 000005
【図５】
0005036050.tif 000006
【図６】
0005036050.tif 000007
【図７】
0005036050.tif 000008
【図８】
0005036050.tif 000009
【図９】
0005036050.tif 000010
【図１０】
0005036050.tif 000011
【図１１】
0005036050.tif 000012